(57)【要約】【課題】ユーザの嗜好に応じてリアルタイムにコンテンツを高画質化してユーザに提供することができる情報処理装置、コンテンツ提供方法およびコンテンツ提供プログラムを提供する。【解決手段】本発明に係る情報処理装置の一例としてのテレビジョン受像装置は、表示部１３、放送信号処理部１５、制御部２１、ＥＩＴ記憶部２２、履歴記憶部２３、嗜好記憶部２４、嗜好コンテンツ情報記憶部２５などを有する。制御部２１のＣＰＵは、コンテンツ提供プログラムによって、少なくとも画像情報テーブル取得部としてのＥＩＴ取得部、履歴取得部、嗜好情報生成部、嗜好関連付け部としての嗜好ＥＩＴ関連付け部、視聴要求判定部、嗜好判定部および画像処理部として機能し、コンテンツ提供プログラムに従って、ユーザの嗜好性が高い番組の映像データをリアルタイムに超解像化して表示部に表示させる処理を実行する。【選択図】  図２
2010130287.tif 000002
【特許請求の範囲】
【請求項１】
画像データに対する視聴履歴情報を含む情報にもとづいて前記画像データに対するユーザの嗜好性の情報を生成し、前記画像データの内容に関する属性情報と前記ユーザの嗜好性の情報とを関連付けて嗜好情報記憶部に記憶させる嗜好情報生成部と、
新たに画像データが入力されると、前記入力された画像データの属性情報に関連付けられた前記ユーザの嗜好性の情報にもとづいて前記入力された画像データの画質を変更する画像処理部と、
前記画質を変更された前記画像データを表示する表示部と、
を備え、
前記画像処理部は、
少なくとも前記ユーザの嗜好性の情報が前記ユーザの嗜好性が高い旨の情報であると、前記入力された画像データを高画質化し、
前記画質を変更された前記画像データは、前記画像データの入力後速やかに前記画質の変更を受けて前記表示部に表示されることを特徴とする情報処理装置。
【請求項２】
現在以降入力される複数の画像データの識別情報および属性情報をあらかじめ取得する画像情報テーブル取得部と、
前記複数の現在以降入力される画像データの識別情報のそれぞれと前記ユーザの嗜好性の情報とを、前記嗜好情報記憶部に記憶された情報にもとづいて関連付けておく嗜好関連付け部と、
をさらに備え、
前記画像処理部は、
前記現在以降入力される複数の画像データの一つであり且つユーザから視聴要求を受けた画像データが入力されると、この視聴要求を受けた画像データの識別情報に関連付けられた前記ユーザの嗜好性の情報にもとづいて前記視聴要求を受け入力された画像データの画質を変更する、
請求項１記載の情報処理装置。
【請求項３】
前記画像データは、デジタルテレビジョン放送の番組に含まれる映像データであり、
前記嗜好情報生成部は、
前記番組に対する視聴履歴情報を含む情報にもとづいて前記番組に対するユーザの嗜好性の情報を生成し、前記番組の内容に関する属性情報と前記ユーザの嗜好性の情報とを関連付けて前記嗜好情報記憶部に記憶させ、
前記画像情報テーブル取得部は、
放送情報から抽出された番組情報テーブルに含まれる前記現在以降放送される複数の番組の識別情報および属性情報をあらかじめ取得し、
前記嗜好関連付け部は、
前記嗜好情報記憶部を参照して、少なくとも前記ユーザの嗜好性が高い旨の情報と関連付けられた属性情報を有する前記複数の現在以降放送される番組の識別情報に対して、前記ユーザの嗜好性が高い旨の情報を関連付けておき、
前記画像処理部は、
新たに番組に含まれる映像データが入力されると、前記入力された映像データを含む番組の属性情報に関連付けられた前記ユーザの嗜好性の情報にもとづいて前記入力された映像データの画質を変更する、
請求項２記載の情報処理装置。
【請求項４】
他の情報処理装置とデータ送受信可能に接続されると前記他の情報処理装置から前記他の情報処理装置の識別情報を自動的に取得可能に構成され、直接および前記他の情報処理装置を介して複数のユーザにより共用される請求項１記載の情報処理装置であって、
前記入力された画像データを記憶する録画データ記憶部と、
前記他の情報処理装置の識別情報とユーザ情報とを関連付けるユーザ設定部と、
前記複数のユーザから１人のユーザを選択するよう促す画像を前記表示部に表示して前記１人のユーザの選択を受け付けるユーザ選択受付部と、
をさらに備え、
前記嗜好情報生成部は、
直接および他の情報処理装置を介して利用された前記入力された画像データに対する前記複数のユーザのユーザ別の視聴履歴情報を含む情報にもとづいて前記画像データに対する前記ユーザ別の嗜好性の情報を生成し、前記画像データの内容に関する属性情報と前記ユーザ別の嗜好性の情報とを関連付けて前記嗜好情報記憶部に記憶させ、
前記画像処理部は、
前記ユーザ選択受付部により前記前記１人のユーザが選択され、前記新たな画像データが入力されると、前記入力された画像データの属性情報に関連付けられた前記選択されたユーザの嗜好性の情報を取得し、この取得した前記選択されたユーザの嗜好性の情報にもとづいて前記入力された画像データの画質を変更する、情報処理装置。
【請求項５】
現在以降入力される複数の画像データの識別情報および属性情報をあらかじめ取得する画像情報テーブル取得部と、
前記複数の現在以降入力される画像データの識別情報のそれぞれと前記ユーザ別の嗜好性の情報とを、前記嗜好情報記憶部に記憶された情報にもとづいて関連付けておく嗜好関連付け部と、
をさらに備え、
前記画像処理部は、
前記ユーザ選択受付部により前記前記１人のユーザが選択され、前記現在以降入力される複数の画像データの一つであり且つユーザから視聴要求を受けた画像データが入力されると、この視聴要求を受けた画像データの識別情報に関連付けられた前記選択されたユーザの嗜好性の情報にもとづいて前記視聴要求を受け入力された画像データの画質を変更する、
請求項４記載の情報処理装置。
【請求項６】
前記画像処理部は、
少なくとも前記ユーザの嗜好性の情報が前記ユーザの嗜好性が高い旨の情報であると前記入力された画像データを超解像化する、
請求項１ないし５のいずれか１項に記載の情報処理装置。
【請求項７】
画像データに対する視聴履歴情報を含む情報にもとづいて前記画像データに対するユーザの嗜好性の情報を生成するステップと、
前記画像データの内容に関する属性情報と前記ユーザの嗜好性の情報とを関連付けて嗜好情報記憶部に記憶させるステップと、
新たに画像データが入力されると、前記入力された画像データの属性情報に関連付けられた前記ユーザの嗜好性の情報にもとづいて前記入力された画像データの画質を変更するステップと、
前記画質を変更された前記画像データを表示部に表示するステップと、
を有し、
前記入力された画像データの画質を変更するステップは、
少なくとも前記ユーザの嗜好性の情報が前記ユーザの嗜好性が高い旨の情報であると、前記入力された画像データを高画質化するステップであり、
前記画質を変更された前記画像データは、前記画像データの入力後速やかに前記画質の変更を受けて前記表示部に表示されることを特徴とするコンテンツ提供方法。
【請求項８】
現在以降入力される複数の画像データの識別情報および属性情報をあらかじめ取得するステップと、
前記複数の現在以降入力される画像データの識別情報のそれぞれと前記ユーザの嗜好性の情報とを、前記嗜好情報記憶部に記憶された情報にもとづいて関連付けておくステップと、
をさらに有し、
前記入力された画像データの画質を変更するステップは、
前記現在以降入力される複数の画像データの一つであり且つユーザから視聴要求を受けた画像データが入力されると、この視聴要求を受けた画像データの識別情報に関連付けられた前記ユーザの嗜好性の情報にもとづいて前記視聴要求を受け入力された画像データの画質を変更するステップである、
請求項７記載のコンテンツ提供方法。
【請求項９】
他の情報処理装置とデータ送受信可能に接続されると前記他の情報処理装置から前記他の情報処理装置の識別情報を自動的に取得可能に構成され直接および前記他の情報処理装置を介して複数のユーザにより共用される情報処理装置に適用される請求項７記載のコンテンツ提供方法であって、
前記入力された画像データを記憶するステップと、
前記他の情報処理装置の識別情報をユーザ情報と関連付けるステップと、
前記複数のユーザから１人のユーザを選択するよう促す画像を前記表示部に表示して前記１人のユーザの選択を受け付けるステップと、
をさらに有し、
前記画像データに対するユーザの嗜好性の情報を生成するステップは、
直接および他の情報処理装置を介して利用された前記入力された画像データに対する前記複数のユーザのユーザ別の視聴履歴情報を含む情報にもとづいて前記画像データに対する前記ユーザ別の嗜好性の情報を生成し、前記画像データの内容に関する属性情報と前記ユーザ別の嗜好性の情報とを関連付けて前記嗜好情報記憶部に記憶させるステップであり、
前記入力された画像データの画質を変更するステップは、
前記１人のユーザの選択を受け付けるステップにおいて前記１人のユーザが選択され、前記新たな画像データが入力されると、前記入力された画像データの属性情報に関連付けられた前記選択されたユーザの嗜好性の情報を取得し、この取得した前記選択されたユーザの嗜好性の情報にもとづいて前記入力された画像データの画質を変更するステップである、
コンテンツ提供方法。
【請求項１０】
コンピュータに、
画像データに対する視聴履歴情報を含む情報にもとづいて前記画像データに対するユーザの嗜好性の情報を生成するステップと、
前記画像データの内容に関する属性情報と前記ユーザの嗜好性の情報とを関連付けて嗜好情報記憶部に記憶させるステップと、
新たに画像データが入力されると、前記入力された画像データの属性情報に関連付けられた前記ユーザの嗜好性の情報にもとづいて前記入力された画像データの画質を変更するステップと、
前記画質を変更された前記画像データを表示部に表示するステップと、
を実行させるためのプログラムであり、
前記入力された画像データの画質を変更するステップは、
少なくとも前記ユーザの嗜好性の情報が前記ユーザの嗜好性が高い旨の情報であると、前記入力された画像データを高画質化するステップであり、
前記画質を変更された前記画像データは、前記画像データの入力後速やかに前記画質の変更を受けて前記表示部に表示されることを特徴とするコンテンツ提供プログラム。
【請求項１１】
コンピュータに、
現在以降入力される複数の画像データの識別情報および属性情報をあらかじめ取得するステップと、
前記複数の現在以降入力される画像データの識別情報のそれぞれと前記ユーザの嗜好性の情報とを、前記嗜好情報記憶部に記憶された情報にもとづいて関連付けておくステップと、
をさらに実行させ、
前記入力された画像データの画質を変更するステップは、
前記現在以降入力される複数の画像データの一つであり且つユーザから視聴要求を受けた画像データが入力されると、この視聴要求を受けた画像データの識別情報に関連付けられた前記ユーザの嗜好性の情報にもとづいて前記視聴要求を受け入力された画像データの画質を変更するステップである、
請求項１０記載のコンテンツ提供プログラム。
【請求項１２】
他の情報処理装置とデータ送受信可能に接続されると前記他の情報処理装置から前記他の情報処理装置の識別情報を自動的に取得可能に構成され直接および前記他の情報処理装置を介して複数のユーザにより共用されるコンピュータに適用される請求項１０記載のコンテンツ提供プログラムであって、
前記入力された画像データを記憶するステップと、
前記他の情報処理装置の識別情報をユーザ情報と関連付けるステップと、
前記複数のユーザから１人のユーザを選択するよう促す画像を前記表示部に表示して前記１人のユーザの選択を受け付けるステップと、
をさらに実行させ、
前記画像データに対するユーザの嗜好性の情報を生成するステップは、
直接および他の情報処理装置を介して利用された前記入力された画像データに対する前記複数のユーザのユーザ別の視聴履歴情報を含む情報にもとづいて前記画像データに対する前記ユーザ別の嗜好性の情報を生成し、前記画像データの内容に関する属性情報と前記ユーザ別の嗜好性の情報とを関連付けて前記嗜好情報記憶部に記憶させるステップであり、
前記入力された画像データの画質を変更するステップは、
前記１人のユーザの選択を受け付けるステップにおいて前記１人のユーザが選択され、前記新たな画像データが入力されると、前記入力された画像データの属性情報に関連付けられた前記選択されたユーザの嗜好性の情報を取得し、この取得した前記選択されたユーザの嗜好性の情報にもとづいて前記入力された画像データの画質を変更するステップである、
コンテンツ提供プログラム。
【発明の詳細な説明】
【技術分野】
【０００１】
本発明は、ユーザの嗜好に応じてコンテンツの画質を変更する情報処理装置、コンテンツ提供方法およびコンテンツ提供プログラムに関する。
【背景技術】
【０００２】
従来、この種のユーザの嗜好に応じてコンテンツの画質を変更する技術に、特開２００５−３１２０２３号公報（特許文献１）に記載された技術がある。
【０００３】
この特許文献１に開示された番組選択装置は、コンテンツ（番組）を録画する番組録画手段と、録画されたコンテンツの再生を制御するための閲覧操作をユーザから受け付ける操作受付手段と、蓄積された閲覧操作履歴にもとづいてユーザのコンテンツに対する閲覧集中度を算出する手段と、閲覧集中度にもとづいてユーザの嗜好を抽出する手段と、を少なくとも備え、コンテンツを録画する際の画質を閲覧集中度にもとづいて決定することができるようになっている。
【特許文献１】特開２００５−３１２０２３号公報
【発明の開示】
【発明が解決しようとする課題】
【０００４】
しかし、従来の技術は、放送番組などの外部から配信されるコンテンツがリアルタイムに視聴される場合について考慮していない。このため、従来の技術では、たとえば放送中の番組がリアルタイムに視聴される場合に、ユーザの嗜好に応じてこの番組の表示画質を変更することができない。したがって、従来の技術では、ユーザの好みの番組が放送されていることを検知することができ、かつユーザによるこの番組を視聴したいという要求を受け付けた場合であっても、この番組の画質を高画質化させてユーザに提供する（モニタに表示させる）ことはできない。
【０００５】
本発明は、上述した事情を考慮してなされたもので、ユーザの嗜好に応じてリアルタイムにコンテンツを高画質化してユーザに提供することができる情報処理装置、コンテンツ提供方法およびコンテンツ提供プログラムを提供することを目的とする。
【課題を解決するための手段】
【０００６】
本発明に係る情報処理装置は、上述した課題を解決するために、画像データに対する視聴履歴情報を含む情報にもとづいて前記画像データに対するユーザの嗜好性の情報を生成し、前記画像データの内容に関する属性情報と前記ユーザの嗜好性の情報とを関連付けて嗜好情報記憶部に記憶させる嗜好情報生成部と、新たに画像データが入力されると、前記入力された画像データの属性情報に関連付けられた前記ユーザの嗜好性の情報にもとづいて前記入力された画像データの画質を変更する画像処理部と、前記画質を変更された前記画像データを表示する表示部と、を備え、前記画像処理部は、少なくとも前記ユーザの嗜好性の情報が前記ユーザの嗜好性が高い旨の情報であると、前記入力された画像データを高画質化し、前記画質を変更された前記画像データは、前記画像データの入力後速やかに前記画質の変更を受けて前記表示部に表示されることを特徴とするものである。
【０００７】
一方、本発明に係るコンテンツ提供方法は、上述した課題を解決するために、画像データに対する視聴履歴情報を含む情報にもとづいて前記画像データに対するユーザの嗜好性の情報を生成するステップと、前記画像データの内容に関する属性情報と前記ユーザの嗜好性の情報とを関連付けて嗜好情報記憶部に記憶させるステップと、新たに画像データが入力されると、前記入力された画像データの属性情報に関連付けられた前記ユーザの嗜好性の情報にもとづいて前記入力された画像データの画質を変更するステップと、前記画質を変更された前記画像データを表示部に表示するステップと、を有し、前記入力された画像データの画質を変更するステップは、少なくとも前記ユーザの嗜好性の情報が前記ユーザの嗜好性が高い旨の情報であると、前記入力された画像データを高画質化するステップであり、前記画質を変更された前記画像データは、前記画像データの入力後速やかに前記画質の変更を受けて前記表示部に表示されることを特徴とする方法である。
【０００８】
さらに、本発明に係るコンテンツ提供プログラムは、上述した課題を解決するために、コンピュータに、画像データに対する視聴履歴情報を含む情報にもとづいて前記画像データに対するユーザの嗜好性の情報を生成するステップと、前記画像データの内容に関する属性情報と前記ユーザの嗜好性の情報とを関連付けて嗜好情報記憶部に記憶させるステップと、新たに画像データが入力されると、前記入力された画像データの属性情報に関連付けられた前記ユーザの嗜好性の情報にもとづいて前記入力された画像データの画質を変更するステップと、前記画質を変更された前記画像データを表示部に表示するステップと、を実行させるためのプログラムであり、前記入力された画像データの画質を変更するステップは、少なくとも前記ユーザの嗜好性の情報が前記ユーザの嗜好性が高い旨の情報であると、前記入力された画像データを高画質化するステップであり、前記画質を変更された前記画像データは、前記画像データの入力後速やかに前記画質の変更を受けて前記表示部に表示されることを特徴とするプログラムである。
【発明の効果】
【０００９】
本発明に係る情報処理装置、コンテンツ提供方法およびコンテンツ提供プログラムによれば、ユーザの嗜好に応じてリアルタイムにコンテンツを高画質化してユーザに提供することができる。
【発明を実施するための最良の形態】
【００１０】
本発明に係る情報処理装置、コンテンツ提供方法およびコンテンツ提供プログラムの実施の形態について、添付図面を参照して説明する。
【００１１】
図１は、本発明に係る情報処理装置の第１実施形態を示す概略的な外観図である。
【００１２】
なお、本発明は、入力された画像データを表示出力可能な情報処理装置に適用することができる。本実施形態では、本発明に係る情報処理装置として、画像データとして放送される番組に含まれる映像データを入力（受信）可能なテレビジョン受像装置を用いる場合の一例について示した。
【００１３】
また、図２は、第１実施形態に係るテレビジョン受像装置１０の内部の構成を概略的に示すブロック図である。
【００１４】
図１に示すように、テレビジョン受像装置１０は、リモコン１１、リモコン１１から出力された信号を受信するリモコン受信部１２および表示部１３を有する。
【００１５】
また、図２に示すように、テレビジョン受像装置１０は、音声出力部１４、放送信号処理部１５、ネットワーク接続部１６、制御部２１、ＥＩＴ記憶部２２、履歴記憶部２３、嗜好記憶部２４、嗜好コンテンツ情報記憶部２５および受信した番組の映像データなどを必要に応じて録画データとして格納する録画データ記憶部２６をさらに有する。なお、本実施形態においてはこの録画データ記憶部２６および録画データは無くても構わないが、以下の説明ではテレビジョン受像装置１０が録画データ記憶部２６を有し、この録画データ記憶部２６が少なくとも番組の映像データを記憶している場合の例について示す。
【００１６】
リモコン１１は、ユーザの操作に対応した操作入力信号を出力してリモコン受信部１２に与える。リモコン受信部１２は、ユーザの操作に対応した信号をリモコン１１から受信し、受信した信号に応じた出力を制御部２１に与える。
【００１７】
表示部１３は、たとえば液晶ディスプレイやＣＲＴディスプレイ、有機エレクトロルミネッセンスディスプレイなどの一般的な表示出力装置により構成され、制御部２１の制御に従って各種情報を表示する。また、表示部１３は、放送信号処理部１５からデコードされた映像データを受け、デジタル放送情報１に含まれる映像を表示出力する。
【００１８】
音声出力部１４は、スピーカにより構成され、制御部２１の制御に従って各種音声を出力する。また、音声出力部１４は、放送信号処理部１５からデコードされた音声データを受け、デジタル放送情報１に含まれる音声を出力する。
【００１９】
放送信号処理部１５は、デジタルチューナやＭＰＥＧ−２デコーダなどを有し、制御部２１により制御される。まず、放送信号処理部１５は、デジタル放送情報１を受信して、このデジタル放送情報１に含まれる番組の映像データ、音声データおよびその他のデータ（ＰＳＩ／ＳＩ（Program Specific Information／Service Information）データなど）を分離する。そして、放送信号処理部１５は、映像データを表示部１３または必要に応じて制御部２１に与え、音声データを音声出力部１４に与え、その他のデータを制御部２１に与える。
【００２０】
制御部２１に与えられるその他のデータには、番組情報テーブル（Event Information Table、以下ＥＩＴという）が含まれる。ＥＩＴには、現在以降に放送されて放送信号処理部１５に入力されうる番組の識別情報および属性情報が含まれる。この番組の情報は、１８８バイト固定長のＭＰＥＧ−２  ＴＳパケットにもとづき、セクション形式で分割されている。ＥＩＴには、現在放送中の番組の属性情報や、現在放送中の番組の次に放送される予定の番組の属性情報や、数日以上にわたる番組編成情報などが含まれるとともに、各番組の識別情報（event_id）が含まれる。
【００２１】
ＥＩＴに含まれる番組の属性情報は、一般に、放送される番組のカテゴリ（ジャンル名）、放送開始日時および終了日時、番組名、番組内容および出演者名などの情報を内容とする。
【００２２】
制御部２１は、ＥＩＴにもとづいてテレビ放送用の電子番組表（ＥＰＧ：Electronic Programming Guide、以下ＥＰＧという）を生成し、このＥＰＧを表示部１３に表示させてユーザに提示することができる。ユーザは、このＥＰＧを介して番組の視聴要求や録画予約要求などを行うことが可能である。
【００２３】
ネットワーク接続部１６は、ネットワークの形態に応じた種々の情報通信用プロトコルを実装する。ネットワーク接続部１６は、この各種プロトコルに従ってテレビジョン受像装置１０と他の電気機器や各種ウェブサーバとを接続する。この接続には、電子ネットワークを介した電気的な接続などを適用することができる。ここで電子ネットワークとは、電気通信技術を利用した情報通信網全般を意味し、無線／有線ＬＡＮ（Local Area Network）やインターネット網のほか、電話通信回線網、光ファイバ通信ネットワーク、ケーブル通信ネットワークおよび衛星通信ネットワークなどを含む。
【００２４】
制御部２１は、ＣＰＵ、ＲＡＭ、ＲＯＭなどにより構成され、ＲＯＭ内に記憶されたプログラムに従って、テレビジョン受像装置１０の処理動作を制御する。ＣＰＵは、ＲＯＭ内に記憶されたコンテンツ提供プログラムおよびプログラムの実行のために必要なデータをＲＡＭへロードし、コンテンツ提供プログラムに従って、ユーザの嗜好に応じてリアルタイムにコンテンツを高画質化してユーザに提供する処理を実行する。
【００２５】
制御部２１のＲＡＭは、ＣＰＵが実行するプログラムおよびデータを一時的に格納するワークエリアを提供する。
【００２６】
制御部２１のＲＯＭは、テレビジョン受像装置１０の起動プログラム、コンテンツ提供プログラムや、これらのプログラムを実行するために必要な各種データを記憶する。
【００２７】
なお、ＲＯＭは、磁気的もしくは光学的記録媒体または半導体メモリなどの、ＣＰＵにより読み取り可能な記録媒体を含んだ構成を有し、ＲＯＭ内のプログラムおよびデータの一部または全部は電子ネットワークを介してダウンロードされるように構成してもよい。
【００２８】
図３は、第１実施形態に係る制御部２１のＣＰＵによる機能実現部の構成例を示す概略的なブロック図である。なお、この機能実現部は、ＣＰＵを用いることなく回路などのハードウエアロジックによって構成してもよい。
【００２９】
制御部２１のＣＰＵは、コンテンツ提供プログラムによって、少なくとも画像情報テーブル取得部としてのＥＩＴ取得部３１、履歴取得部３２、嗜好情報生成部３３、嗜好関連付け部としての嗜好ＥＩＴ関連付け部３４、視聴要求判定部３５、嗜好判定部３６および画像処理部３７として機能する。この各部３１〜３７は、ＲＡＭの所要のワークエリアをデータの一時的な格納場所として利用する。
【００３０】
次に、ＣＰＵの各部３１〜３７について説明する。
【００３１】
画像情報テーブル取得部としてのＥＩＴ取得部３１は、放送信号処理部１５からデジタル放送情報１に含まれるＥＩＴを取得し、ＥＩＴ記憶部２２に記憶させる。
【００３２】
履歴取得部３２は、リモコン１１などを介して番組に関するユーザの操作入力を受けると、この番組の属性情報と番組に関するユーザの各種履歴情報とを関連付けて履歴記憶部２３に記憶させる（図２の履歴記憶部２３参照）。
【００３３】
なお、番組に関するユーザの各種履歴情報とは、ユーザの嗜好傾向を取得するために必要な情報である。以下の説明では各種履歴情報が視聴履歴の情報および操作履歴の情報を含む場合について示す。ここで、視聴履歴の情報とは、現在放送中の番組に対する視聴要求（チャンネル変更要求など）の情報や将来放送される番組に対する視聴予約要求の情報や録画された画像データの視聴要求の情報などをいい、操作履歴の情報とは、現在放送中の番組に対する録画要求の情報や将来放送される番組に対する録画予約要求の情報などをいうものとする。
【００３４】
嗜好情報生成部３３は、履歴記憶部２３に記憶された情報（番組の属性情報と番組に関するユーザの各種履歴情報とを関連付けた情報）にもとづいて、属性情報（番組のカテゴリ（ジャンル名）、番組名、出演者名など）に対するユーザの嗜好性の情報を生成し、属性情報とユーザの嗜好性の情報とを関連付けて嗜好記憶部２４に記憶させる（図２の嗜好記憶部２４参照）。
【００３５】
以下の説明では、少なくとも、嗜好情報生成部３３がユーザの嗜好性が高い属性情報について、この属性情報とユーザの嗜好性が高い旨の情報とを関連付けて嗜好記憶部２４に記憶させる場合の例について示す。たとえば、ジャンルが「サッカー」である番組の視聴履歴回数が所定の回数以上である場合には、嗜好情報生成部３３は、「サッカー」というジャンルに対してユーザの嗜好性が高い旨の情報を関連付けて嗜好記憶部２４に記憶させる。なお、ユーザの各種履歴情報にもとづいてユーザの嗜好性の情報を生成する技術としては従来各種のものが知られており、これらのうち任意のものを使用することが可能である。
【００３６】
嗜好関連付け部としての嗜好ＥＩＴ関連付け部３４は、嗜好記憶部２４に記憶された情報（属性情報とユーザの嗜好性の情報とを関連付けた情報）およびＥＩＴ記憶部２２に記憶された情報（現在以降に放送されて放送信号処理部１５に入力されうる番組の識別情報および属性情報）にもとづいて、現在以降に放送される番組の識別情報に対してユーザの嗜好性の情報を関連付けて嗜好コンテンツ情報記憶部２５に記憶させる（図２の嗜好コンテンツ情報記憶部２５参照）。なお、以下の説明では、少なくとも、嗜好ＥＩＴ関連付け部３４がユーザの嗜好性が高い属性情報について、この属性情報を有する番組の識別情報とユーザの嗜好性が高い旨の情報とを関連付けて嗜好記憶部２４に記憶させる場合の例について示す。
【００３７】
視聴要求判定部３５は、リモコン１１などを介して番組に関するユーザの操作入力を受けると、この操作入力が番組の視聴要求であるか否かを判定し、視聴要求である場合にはリアルタイムに現在放送中の番組を視聴したい旨の視聴要求であるか否かを判定する。
【００３８】
嗜好判定部３６は、ユーザからリモコン１１などを介して「リアルタイムに現在放送中の番組を視聴したい」旨を要求されると、嗜好コンテンツ情報記憶部２５を参照して視聴要求のあった番組の識別情報を抽出し、この番組の識別情報がユーザの嗜好性が高い旨の情報と関連付けられているか否か、すなわちユーザによりユーザの嗜好性が高い番組の視聴要求が行われたか否かを判定する。
【００３９】
画像処理部３７は、嗜好判定部３６からユーザの嗜好性が高い番組の視聴要求があった旨の情報を受けると、視聴要求があった番組の映像データを放送信号処理部１５から取得してこの映像データをリアルタイムに（映像データの入力後速やかに）高画質化する。
【００４０】
なお、この高画質化は、必要に応じて元となる映像データを拡大してから、この拡大した映像データに対して行われてもよい。また、この高画質化は、線形補間法（Bilinear Interpolation Method）や３次畳込み補間法（Cubic Convolution Method）などの画像補間法によるものでもよいし、いわゆる超解像化であってもよい。以下の説明では、画像処理部３７は超解像化処理を実行する機能を有し、ユーザの嗜好性の高い番組の画像データをリアルタイムに超解像化することによりユーザに高画質化した映像データを提供する場合の例について示す。
【００４１】
次に、本実施形態に係るテレビジョン受像装置１０の動作の一例について説明する。
【００４２】
図４は、第１実施形態に係る制御部２１のＣＰＵにより、ユーザの嗜好に応じてリアルタイムにコンテンツを高画質化してユーザに提供する際の手順を示すフローチャートである。図４において、Ｓに数字を付した符号は、フローチャートの各ステップを示す。
【００４３】
この手順は、リモコン１１などを介してユーザにより番組に関する操作入力が行われた時点でスタートとなる。なお、ＥＩＴ記憶部２２はあらかじめ現在以降放送される番組のＥＩＴを記憶しているものとする。また、嗜好コンテンツ情報記憶部２５は、あらかじめユーザの嗜好性が高い属性情報について、この属性情報を有する番組の識別情報とユーザの嗜好性が高い旨の情報とを関連付けて記憶しているものとする。
【００４４】
まず、ステップＳ１において、制御部２１は、リモコン１１などの入力部を介して番組に関するユーザの操作入力を受け付けるとともに、この番組の属性情報を取得する。
【００４５】
次に、ステップＳ２において、視聴要求判定部３５は、ユーザの操作入力が番組の視聴を要求するものであるか否かを判定する。視聴要求でない場合はステップＳ３に進む。一方、視聴要求である場合はステップＳ４に進む。
【００４６】
次に、ステップＳ３において、履歴取得部３２は、ユーザの操作入力情報（操作履歴の情報）を、この番組の属性情報と関連付けて履歴記憶部２３に記憶させ、一連の手順は終了となる。
【００４７】
たとえば、ステップＳ１でユーザにより表示部１３に表示されたＥＰＧを介して録画予約要求があると、ステップＳ２では視聴要求ではないと判定され、このステップＳ３において履歴取得部３２は、録画予約要求が１回あった旨の操作履歴情報とこの番組の属性情報とを関連付けて履歴記憶部２３に記憶させる。
【００４８】
他方、ステップＳ４において、視聴要求判定部３５は、ユーザの操作入力がリアルタイムに現在放送中の番組を視聴したい旨の視聴要求であるか否かを判定する。リアルタイムな視聴要求でない場合、すなわち録画された番組（録画データ）の視聴要求である場合はステップＳ５に進む。一方、リアルタイムな視聴要求である場合はステップＳ６に進む。
【００４９】
次に、ステップＳ５において、履歴取得部３２は、ユーザの操作入力情報（視聴履歴の情報）を、この番組の属性情報と関連付けて履歴記憶部２３に記憶させ、一連の手順は終了となる。
【００５０】
たとえば、ステップＳ４でリアルタイムな視聴要求でない、すなわち録画された番組の視聴要求であると判定された場合、このステップＳ５において履歴取得部３２は、録画された番組の視聴要求が１回あった旨の視聴履歴情報とこの番組の属性情報とを関連付けて履歴記憶部２３に記憶させる。
【００５１】
他方、ステップＳ６において、履歴取得部３２は、リアルタイムな視聴要求があった旨の情報を、この番組の属性情報と関連付けて履歴記憶部２３に記憶させる。
【００５２】
次に、ステップＳ７において、嗜好判定部３６は、嗜好コンテンツ情報記憶部２５を参照してリアルタイムな視聴要求のあった番組の識別情報を抽出し、この番組の識別情報がユーザの嗜好性が高い旨の情報と関連付けられているか否かを判定する。この番組の識別情報がユーザの嗜好性が高い旨の情報と関連付けられている場合、すなわちユーザの嗜好性が高い番組のリアルタイムな視聴要求が行われた場合は、この番組の映像データを高画質化するべくステップＳ８に進む。一方、この番組の識別情報がユーザの嗜好性が高い旨の情報と関連付けられていない場合、すなわちユーザの嗜好性があまり高くない番組のリアルタイムな視聴要求が行われた場合は、この番組の高画質化を行わずステップＳ９に進む。
【００５３】
次に、ステップＳ８において、画像処理部３７は、リアルタイムな視聴要求があった番組の映像データを放送信号処理部１５から取得して、この映像データをリアルタイムに（映像データの入力後速やかに）超解像化する。
【００５４】
次に、ステップＳ９において、制御部２１は、画像処理部３７により高画質化された画像データまたは放送信号処理部１５から受けた画像データを表示部１３に表示させる。
【００５５】
以上の手順により、ユーザの嗜好に応じてリアルタイムにコンテンツを高画質化してユーザに提供することができる。
【００５６】
本実施形態に係るテレビジョン受像装置１０は、放送番組などの外部から配信されるコンテンツがリアルタイムに視聴される場合について考慮し、たとえば放送中の番組がリアルタイムに視聴される場合に、ユーザの嗜好に応じてこの番組の表示画質を変更することができる。特に、ユーザの嗜好性が高い番組に関しては、超解像化を行うなどしてリアルタイムに高画質化してユーザに提供することができる。
【００５７】
超解像化処理は、画像データを非常に鮮鋭度の高い高画質な画像にすることができるものの、負荷が高い処理である。このため、従来の技術を利用した情報処理装置では、常にリアルタイムに放送番組に対して超解像化を行うと、アプリケーションを起動するなどの他の処理を実行することができなくなる場合がある。特に、ユーザにより頻繁にチャンネル変更されると、高負荷となってしまい誤動作してしまう場合がある。
【００５８】
一方、本実施形態に係るテレビジョン受像装置１０は、ユーザの嗜好性が高い番組に関してのみリアルタイムに超解像化を行い、他の番組に関しては超解像化を行わないようにすることができる。このため、負荷の過剰な向上を未然に防止することができる。また、超解像化に用いられるバッファなどのメモリ資源を削減することもでき、消費電力を低減することができる。
【００５９】
次に、本発明に係る情報処理装置の第２実施形態について説明する。
【００６０】
図５は、本発明に係る情報処理装置の第２実施形態を示す概略的な外観図である。
【００６１】
この第２実施形態に示すテレビジョン受像装置１０Ａは、他の情報処理装置とデータ送受信可能に接続されていることにより直接および他の情報処理装置を介して複数のユーザにより共用される点で第１実施形態に示すテレビジョン受像装置１０と異なる。図１に示したテレビジョン受像装置１０と同一の構成には同一符号を付して説明を省略する。
【００６２】
なお、本実施形態では、テレビジョン受像装置１０Ａとデータ送受信可能に接続された他の情報処理装置として、ノートブック型のパーソナルコンピュータ（以下、ノートＰＣという）４１およびデスクトップ型のパーソナルコンピュータ（以下、デスクトップＰＣという）４２を用いる場合の例について説明する。
【００６３】
図５に示すように、テレビジョン受像装置１０Ａは、ネットワークを介してノートＰＣ４１およびデスクトップＰＣ４２と接続される。ノートＰＣ４１およびデスクトップＰＣ４２は、それぞれテレビジョン受像装置１０Ａのネットワーク接続部１６が有するネットワーク接続機能と同一のネットワーク接続機能を有するものとする。
【００６４】
また、テレビジョン受像装置１０Ａ、ノートＰＣ４１およびデスクトップＰＣ４２は、互いにデジタル放送番組データを含むデジタル映像信号を送受信可能に構成されるとともに、デジタル映像信号を送受信可能に接続されたことを互いに検知すると互いの識別情報を自動的に取得可能に構成される。図５に示すようにノートＰＣ４１およびデスクトップＰＣ４２はそれぞれモニタ４３を備えており、ユーザは、例えばノートＰＣ４１を介してテレビジョン受像装置１０Ａの録画データをモニタ４３に表示させて視聴することができるようになっている。
【００６５】
なお、以下の説明では、テレビジョン受像装置１０Ａ、ノートＰＣ４１およびデスクトップＰＣ４２がそれぞれＤＬＮＡ（Digital Living Network Alliance）に準拠し、ＤＴＣＰ（Digital Transmission Content Protection）−ＩＰにより互いにデジタル映像信号を送受信可能に構成された場合の例について示す。
【００６６】
図６は、第２実施形態に係るテレビジョン受像装置１０Ａの内部の構成を概略的に示すブロック図である。また、図７は、第２実施形態に係る制御部２１ＡのＣＰＵによる機能実現部の構成例を示す概略的なブロック図である。なお、この機能実現部は、ＣＰＵを用いることなく回路などのハードウエアロジックによって構成してもよい。
【００６７】
図６に示すように、第２実施形態に係るテレビジョン受像装置１０Ａは、制御部２１Ａの機能、および履歴記憶部２３Ａ、嗜好記憶部２４Ａ、嗜好コンテンツ情報記憶部２５Ａの記憶内容が第１実施形態に示したテレビジョン受像装置１０と異なる。また、第２実施形態に係るテレビジョン受像装置１０Ａは、他の情報処理装置に対して録画データを公開コンテンツとして公開するため、録画データ記憶部２６および録画データが必須である点が第１実施形態に示したテレビジョン受像装置１０と異なる。
【００６８】
図７に示すように、制御部２１ＡのＣＰＵは、コンテンツ提供プログラムによって、少なくともユーザ設定部４４、ユーザ選択受付部４５、画像情報テーブル取得部としてのＥＩＴ取得部３１、履歴取得部３２Ａ、嗜好情報生成部３３Ａ、嗜好関連付け部としての嗜好ＥＩＴ関連付け部３４Ａ、視聴要求判定部３５、嗜好判定部３６Ａおよび画像処理部３７として機能する。この各部３１〜３７は、ＲＡＭの所要のワークエリアを、データの一時的な格納場所として利用する。
【００６９】
ユーザ設定部４４は、他の情報処理装置の識別情報に対して他の情報処理装置を利用するユーザを識別可能な情報（以下、ユーザ情報という）を設定し、所要の記憶部に記憶させる。たとえば、識別情報として他の情報処理装置のＭＡＣアドレスおよび機種名を取得した場合、ユーザ設定部４４は他の情報処理装置のユーザ情報としてＭＡＣアドレスおよび機種名の少なくとも一方を設定する。他の情報処理装置を利用するユーザが各装置につき１人である場合には、この機種名はそのまま他の情報処理装置を利用するユーザを識別可能な情報（ユーザ情報）となる。なお、テレビジョン受像装置１０Ａがこの識別情報に対してユーザにより任意の文字列（ユーザの名前など）を設定可能に構成される場合、ユーザ設定部４４はこの文字列を他の情報処理装置のユーザ情報として用いてもよい。
【００７０】
ユーザ選択受付部４５は、ユーザ設定部４４により設定されたユーザ情報（ユーザの名前など）のリストを表示部１３に表示させる。ユーザは、表示部１３に表示されたリストにもとづいてリモコン１１などの入力部を介してユーザ情報を選択する。そして、ユーザ選択受付部４５は、この選択されたユーザ情報が、現在テレビジョン受像装置１０Ａを利用するユーザ（現在のユーザ）のユーザ情報であるものとして受け付けて制御部２１ＡのＲＡＭの所要のワークエリアなどに格納する。
【００７１】
履歴取得部３２Ａは、リモコン１１などを介して番組に関する操作入力を現在のユーザから受けると、この番組の属性情報と、番組に関するユーザの各種履歴情報と、現在のユーザ情報とを関連付けて履歴記憶部２３Ａに記憶させる（図６の履歴記憶部２３Ａ参照）。この結果、履歴記憶部２３Ａにはユーザ情報別に、番組の属性情報と番組に関するユーザの各種履歴情報とが関連付けて記憶されることになる。
【００７２】
嗜好情報生成部３３Ａは、履歴記憶部２３Ａに記憶された情報（ユーザ情報別に番組の属性情報と番組に関するユーザの各種履歴情報とを関連付けた情報）にもとづいて、属性情報（番組のカテゴリ（ジャンル名）、番組名、出演者名など）に対するユーザ情報別の嗜好性の情報を生成し、ユーザ情報別に属性情報とユーザの嗜好性の情報とを関連付けて嗜好記憶部２４Ａに記憶させる（図６の嗜好記憶部２４Ａ参照）。
【００７３】
嗜好関連付け部としての嗜好ＥＩＴ関連付け部３４Ａは、嗜好記憶部２４Ａに記憶された情報（ユーザ情報別に属性情報とユーザの嗜好性の情報とを関連付けた情報）およびＥＩＴ記憶部２２に記憶された情報（現在以降に放送されて放送信号処理部１５に入力されうる番組の識別情報および属性情報）にもとづいて、現在以降に放送される番組の識別情報に対してユーザ情報別にユーザの嗜好性の情報を関連付けて嗜好コンテンツ情報記憶部２５Ａに記憶させる（図６の嗜好コンテンツ情報記憶部２５Ａ参照）。なお、以下の説明では、少なくとも、嗜好ＥＩＴ関連付け部３４Ａがユーザの嗜好性が高い属性情報について、この属性情報を有する番組の識別情報とユーザの嗜好性が高い旨の情報とを、ユーザ情報別に関連付けて嗜好記憶部２４Ａに記憶させる場合の例について説明する。
【００７４】
嗜好判定部３６Ａは、現在のユーザからリモコン１１などを介して「リアルタイムに現在放送中の番組を視聴したい」旨を要求されると、嗜好コンテンツ情報記憶部２５Ａを参照して視聴要求のあった番組の識別情報を抽出し、この番組の識別情報が現在のユーザの嗜好性が高い旨の情報と関連付けられているか否か、すなわち現在のユーザにより現在のユーザの嗜好性が高い番組の視聴要求が行われたか否かを判定する。
【００７５】
次に、本実施形態に係るテレビジョン受像装置１０Ａの動作の一例について説明する。
【００７６】
図８は、第２実施形態に係る制御部２１ＡのＣＰＵにより、ユーザ別に、ユーザの嗜好に応じてリアルタイムにコンテンツを高画質化してユーザに提供する際の手順を示すフローチャートである。図８において、Ｓに数字を付した符号は、フローチャートの各ステップを示す。図４と同等のステップには同一符号を付し、重複する説明を省略する。
【００７７】
この手順は、ユーザ設定部４４によりあらかじめユーザ情報が取得されてスタートとなる。なお、ＥＩＴ記憶部２２はあらかじめ現在以降放送される番組のＥＩＴを記憶しているものとする。また、嗜好コンテンツ情報記憶部２５Ａは、あらかじめユーザの嗜好性が高い属性情報について、この属性情報を有する番組の識別情報とユーザの嗜好性が高い旨の情報とを関連付けてユーザ情報別に記憶しているものとする。
【００７８】
まず、ステップＳ２１において、ユーザ選択受付部４５は、ユーザ設定部４４により設定されたユーザ情報のリストを表示部１３に表示させる。
【００７９】
次に、ステップＳ２２において、ユーザ選択受付部４５は、ユーザ選択受付部４５は、現在テレビジョン受像装置１０Ａを利用しているユーザ（現在のユーザ）によりリモコン１１などの入力部を介して選択されたユーザ情報について、この選択されたユーザ情報が、現在のユーザのユーザ情報であるものとして受け付けて、この現在のユーザのユーザ情報を制御部２１ＡのＲＡＭの所要のワークエリアなどに格納する。
【００８０】
ステップＳ２で番組に関する現在のユーザの操作入力が番組の視聴を要求するものでないと判定されると、ステップＳ２３において、履歴取得部３２Ａは、ユーザの操作入力情報（操作履歴の情報）と、この番組の属性情報と、現在のユーザのユーザ情報とを関連付けて履歴記憶部２３Ａに記憶させ、一連の手順は終了となる。
【００８１】
ステップＳ４で番組に関する現在のユーザの操作入力が録画された番組（録画データ）の視聴要求であると判定されると、ステップＳ２４において、履歴取得部３２Ａは、ユーザの操作入力情報（視聴履歴の情報）と、この番組の属性情報と、現在のユーザのユーザ情報とを関連付けて履歴記憶部２３Ａに記憶させ、一連の手順は終了となる。
【００８２】
ステップＳ４で番組に関する現在のユーザの操作入力がリアルタイムな視聴要求であると判定されると、ステップＳ２５において、履歴取得部３２Ａは、リアルタイムな視聴要求があった旨の情報と、この番組の属性情報と、現在のユーザのユーザ情報とを関連付けて履歴記憶部２３Ａに記憶させる。
【００８３】
次に、ステップＳ２６において、嗜好判定部３６Ａは、嗜好コンテンツ情報記憶部２５Ａを参照してリアルタイムな視聴要求のあった番組の識別情報を抽出し、この番組の識別情報が現在のユーザの嗜好性が高い旨の情報と関連付けられているか否かを判定する。この番組の識別情報が現在のユーザの嗜好性が高い旨の情報と関連付けられている場合、すなわち現在のユーザにより現在のユーザの嗜好性が高い番組のリアルタイムな視聴要求が行われた場合は、この番組の映像データを高画質化するべくステップＳ８に進む。一方、この番組の識別情報が現在のユーザの嗜好性が高い旨の情報と関連付けられていない場合、すなわち現在のユーザの嗜好性があまり高くない番組のリアルタイムな視聴要求が行われた場合は、この番組の高画質化を行わずステップＳ９に進む。
【００８４】
なお、他の情報処理装置を介してテレビジョン受像装置１０Ａの公開コンテンツ（録画データ記憶部２６に記憶されている録画データ（録画された番組））の視聴要求があった場合は、まず、この他の情報処理装置の識別情報に対してユーザ設定部４４により設定されたユーザ情報を取得してから、図８のステップＳ１、Ｓ２、Ｓ２３を行う。この結果、他の情報処理装置を介してテレビジョン受像装置１０Ａの公開コンテンツが利用された場合にも、テレビジョン受像装置１０Ａは、この利用を行ったユーザの履歴情報をユーザ別に取得することができる。
【００８５】
以上の手順により、ユーザ別に、ユーザの嗜好に応じてリアルタイムにコンテンツを高画質化してユーザに提供することができる。
【００８６】
第２実施形態に係るテレビジョン受像装置１０Ａは、第１実施形態に係るテレビジョン受像装置１０と同様の作用効果を奏する。また、第２実施形態に係るテレビジョン受像装置１０Ａは、他の情報処理装置とデジタル映像信号の送受信が可能に接続されて複数のユーザにより直接および間接的に共用される場合に、ユーザ別に履歴情報を取得することができる。このため、第２実施形態に係るテレビジョン受像装置１０Ａによれば、各ユーザの嗜好に応じた番組をリアルタイムに超解像化して提供することができる。また、複数の機器から履歴情報を取得可能なため、第２実施形態に係るテレビジョン受像装置１０Ａによれば、第１実施形態に係るテレビジョン受像装置１０にくらべ、より精度の高い嗜好情報を生成することができる。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【００８８】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【図面の簡単な説明】
【００８９】
【図１】本発明に係る情報処理装置の第１実施形態を示す概略的な外観図。
【図２】第１実施形態に係るテレビジョン受像装置の内部の構成を概略的に示すブロック図。
【図３】第１実施形態に係る制御部のＣＰＵによる機能実現部の構成例を示す概略的なブロック図。
【図４】第１実施形態に係る制御部のＣＰＵにより、ユーザの嗜好に応じてリアルタイムにコンテンツを高画質化してユーザに提供する際の手順を示すフローチャート。
【図５】本発明に係る情報処理装置の第２実施形態を示す概略的な外観図。
【図６】第２実施形態に係るテレビジョン受像装置Ａの内部の構成を概略的に示すブロック図。
【図７】第２実施形態に係る制御部ＡのＣＰＵによる機能実現部の構成例を示す概略的なブロック図。
【図８】第２実施形態に係る制御部ＡのＣＰＵにより、ユーザ別に、ユーザの嗜好に応じてリアルタイムにコンテンツを高画質化してユーザに提供する際の手順を示すフローチャート。
【符号の説明】
【００９０】
１  デジタル放送情報
１０、１０Ａ  テレビジョン受像装置
１１  リモコン
１２  リモコン受信部
１３  表示部
１４  音声出力部
１５  放送信号処理部
１６  ネットワーク接続部
２１  制御部
２２  ＥＩＴ記憶部
２３  履歴記憶部
２４  嗜好記憶部
２５  嗜好コンテンツ情報記憶部
２６  録画データ記憶部
３１  ＥＩＴ取得部（画像情報テーブル取得部）
３２、３２Ａ  履歴取得部
３３、３３Ａ  嗜好情報生成部
３４、３４Ａ  嗜好ＥＩＴ関連付け部（嗜好関連付け部）
３５  視聴要求判定部
３６、３６Ａ  嗜好判定部
３７  画像処理部
４１  ノートＰＣ
４２  デスクトップＰＣ
４３  モニタ
４４  ユーザ設定部
４５  ユーザ選択受付部
【図１】
2010130287.tif 000003
【図２】
2010130287.tif 000004
【図３】
2010130287.tif 000005
【図４】
2010130287.tif 000006
【図５】
2010130287.tif 000007
【図６】
2010130287.tif 000008
【図７】
2010130287.tif 000009
【図８】
2010130287.tif 000010